(57)【特許請求の範囲】
【請求項１】
利用者のパーソナル携帯端末を用いてカラオケ演奏端末に対して選曲予約を行わせることが可能なシステムであって、演奏端末識別情報表示手段と、演奏端末識別情報取得手段と、携帯端末位置情報取得手段と、選曲予約情報送信手段と、ペアリング許可判定データベースと、選曲予約許可手段と、選曲予約情報転送手段と、予約管理手段と、を備え、
前記演奏端末識別情報表示手段は、前記カラオケ演奏端末を識別するための演奏端末識別情報を、表示装置の表示画面に表示し、
前記演奏端末識別情報取得手段は、前記パーソナル携帯端末において、前記表示された演奏端末識別情報を取得してメモリに記憶し、
前記携帯端末位置情報取得手段は、前記パーソナル携帯端末の現在位置情報を取得し、
前記選曲予約情報送信手段は、任意のパーソナル携帯端末において、少なくとも、前記記憶された演奏端末識別情報と、当該パーソナル携帯端末の選曲機能により選曲された楽曲の楽曲ＩＤと、前記取得した現在位置情報とからなる選曲予約情報を、当該パーソナル携帯端末の通信網を介して中継サーバへ送信し、
前記ペアリング許可判定データベースは、演奏端末識別情報と、所定の距離範囲を表すエリアとを関連付けてなり、
前記選曲予約許可手段は、前記中継サーバにおいて、任意のパーソナル携帯端末から選曲予約情報を受信した場合に、前記ペアリング許可判定データベースを参照し、当該選曲予約情報に含まれる現在位置情報が、当該選曲予約情報に含まれる演奏端末識別情報に関連付けられたエリア内に存在すれば、当該受信した選曲予約情報に基づく選曲予約を許可し、当該エリア内に存在しなければ、当該受信した選曲予約情報に基づく選曲予約を許可せず、
前記選曲予約情報転送手段は、前記中継サーバにおいて、少なくとも、前記選曲予約が許可された選曲予約情報に含まれる楽曲ＩＤを、当該選曲予約情報に含まれる演奏端末識別情報を有するカラオケ演奏端末に転送し、
前記予約管理手段は、前記カラオケ演奏端末において、受信した楽曲ＩＤからなる選曲予約情報を予約待ち行列にて管理する、
ことを特徴とするパーソナル携帯端末を用いたカラオケ選曲システム。
【発明の詳細な説明】
【技術分野】
【０００１】
本発明は、利用者のパーソナル携帯端末を用いて選曲予約を行わせることが可能なシステムに関するものであり、特に、パーソナル携帯端末とカラオケ演奏端末との距離関係に基づいて、選曲予約を許可するか否かを判断することが可能なパーソナル携帯端末を用いたカラオケ選曲システムに関するものである。
【背景技術】
【０００２】
近年、パーソナル携帯端末、特に携帯電話が多機能化され、様々なウェブサイトの閲覧や、コンテンツのダウンロード等を行うことができるようになってきた。また、このようなパーソナル携帯端末の普及はめざましく、一人一台を所有していると言っても過言ではない。さらに、現在普及しているカラオケ演奏端末では、選曲予約を行う際に専用のリモコン装置を利用しているが、アプリケーションソフトをインストールすることによりカラオケリモコン装置として使用することが可能なパーソナル携帯端末も開発されている（例えば、特許文献１）。
【０００３】
特許文献１に記載された技術は、携帯電話機を活用して、従来よりも簡単かつ軽快にリクエスト曲の検索や予約を行えるようにした通信カラオケ演奏端末に関するものであり、携帯電話機は、キーパネル、液晶ディスプレイ、携帯電話網を介して目次サーバと通信する手段、カラオケ演奏端末に向けてＩｒＤＡ信号を送出する手段を備えている。そして、携帯電話機からの発呼に目次サーバが応答して通話状態になると、携帯電話機から利用者の個人ＩＤと個人別目次の検索条件が目次サーバに通知される。目次サーバは、携帯電話機から通知された個人ＩＤ及び検索条件に基づいて該当する個人別目次データを検索し、検索結果である楽曲名と楽曲ＩＤを携帯電話機に伝達する。携帯電話機は受信した楽曲名を一覧表示し、利用者の操作入力により特定された楽曲ＩＤをＩｒＤＡ信号により送出する。
【０００４】
したがって、このような機能を用いることにより、カラオケ利用者は、カラオケ店に備え付けられた専用のリモコン装置を使用することなく、自ら所持しているパーソナル携帯端末を用いて選曲予約操作を行うことができる。特に、多人数でカラオケを楽しんでいる場合には、リモコン装置を使い回す必要がなくなり、利用者が各自所望するタイミングで選曲予約操作を行うことができるという利点がある。
【先行技術文献】
【特許文献】
【０００５】
【特許文献１】特開２０００−１４８１６９号公報
【発明の概要】
【発明が解決しようとする課題】
【０００６】
しかしながら、上述した従来の技術は、携帯電話機のようなパーソナル携帯端末の赤外線通信機能を用いて、リモコン装置の機能を発揮させようとするものであり、赤外線通信方式は複数種類が存在する。したがって、パーソナル携帯端末を用いてカラオケ楽曲の選曲予約を行う際には、当該パーソナル携帯端末がカラオケ演奏端末の赤外線通信方式に対応していなければならない。また、赤外線通信機能により選曲予約を行うには、カラオケ演奏端末の赤外線受信装置が、パーソナル携帯端末の赤外線送信装置から発信される赤外線信号を受信することが必要であり、利用者の着座位置によっては赤外線通信を行うことができない場合もある。
【０００７】
この点、カラオケ演奏端末は、インターネット回線等の通信回線を介してカラオケサーバと通信することができるようになっている。そこで、パーソナル携帯端末からの選曲予約データを、携帯電話網及びインターネット回線を介してカラオケ演奏端末に送信すれば、赤外線通信機能を用いることなくパーソナル携帯端末を選曲予約用のリモコン装置として使用することができる。
【０００８】
すなわち、パーソナル携帯端末が使用している携帯電話網を介してのデータ通信機能により、カラオケ楽曲の選曲予約を行うことが考えられる。具体的には、パーソナル携帯端末を用いてモバイルサイトにアクセスし、所定のカラオケ演奏端末に対応する選曲用アプリケーションソフトをダウンロードし、この選曲用アプリケーションソフトを当該パーソナル携帯端末にインストールする。そして、必要なデータ（例えば、ＩＰアドレス、演奏端末ＩＤ、パーソナル携帯端末のＵＤＩＤ（Ｕｎｉｑｕｅ  Ｄｅｖｉｃｅ  Ｉｄｅｎｔｉｆｉｅｒ））を入力することにより、当該パーソナル携帯端末とカラオケ演奏端末とを関連付けて、パーソナル携帯端末を選曲予約用のリモコン装置として使用することができる。
【０００９】
しかしながら、上述したようなパーソナル携帯端末の使い方では、パーソナル携帯端末とカラオケ演奏端末とが関連付けられたままの状態（ログイン状態）で、パーソナル携帯端末がカラオケ店外へ持ち出されると、カラオケ店外においても選曲予約が可能となってしまう。この状態で、悪戯等によりカラオケ店外から選曲予約が行われると、正規にカラオケ演奏端末を利用している利用者の選曲予約が混乱してしまう。
【００１０】
本発明は、パーソナル携帯端末をカラオケ楽曲の選曲予約用リモコン装置として利用する際に、カラオケ店外等から悪戯等による選曲予約操作が行われないようにして、選曲予約操作が混乱することを防止可能なシステムを提供することを目的とする。
【課題を解決するための手段】
【００１１】
本発明のパーソナル携帯端末を用いたカラオケ選曲システムは、上述した目的を達成するため、以下の特徴点を有している。すなわち、本発明のパーソナル携帯端末を用いたカラオケ選曲システムは、利用者のパーソナル携帯端末を用いてカラオケ演奏端末に対して選曲予約を行わせることが可能なシステムであって、演奏端末識別情報表示手段と、演奏端末識別情報取得手段と、携帯端末位置情報取得手段と、選曲予約情報送信手段と、ペアリング許可判定データベースと、選曲予約許可手段と、選曲予約情報転送手段と、予約管理手段と、を備えたことを特徴とするものである。
【００１２】
演奏端末識別情報表示手段は、カラオケ演奏端末を識別するための演奏端末識別情報を、表示装置の表示画面に表示するための手段である。演奏端末識別情報取得手段は、パーソナル携帯端末において、表示された演奏端末識別情報を取得してメモリに記憶するための手段である。携帯端末位置情報取得手段は、パーソナル携帯端末の現在位置情報を取得するための手段である。
【００１３】
選曲予約情報送信手段は、任意のパーソナル携帯端末において、少なくとも、メモリに記憶された演奏端末識別情報と、当該パーソナル携帯端末の選曲機能により選曲された楽曲の楽曲ＩＤと、取得した現在位置情報とからなる選曲予約情報を、当該パーソナル携帯端末の通信網を介して中継サーバへ送信するための手段である。
【００１４】
ペアリング許可判定データベースは、演奏端末識別情報と、所定の距離範囲を表すエリアとを関連付けて構成したデータベースである。選曲予約許可手段は、中継サーバにおいて、任意のパーソナル携帯端末から選曲予約情報を受信した場合に、ペアリング許可判定データベースを参照し、当該選曲予約情報に含まれる現在位置情報が、当該選曲予約情報に含まれる演奏端末識別情報に関連付けられたエリア内に存在すれば、当該受信した選曲予約情報に基づく選曲予約を許可し、当該エリア内に存在しなければ、当該受信した選曲予約情報に基づく選曲予約を許可しないための手段である。
【００１５】
選曲予約情報転送手段は、少なくとも、選曲予約が許可された選曲予約情報に含まれる楽曲ＩＤを、当該選曲予約情報に含まれる演奏端末識別情報を有するカラオケ演奏端末に転送するための手段である。予約管理手段は、カラオケ演奏端末において、受信した楽曲ＩＤからなる選曲予約情報を予約待ち行列にて管理するための手段である。
【００１６】
このような構成からなるパーソナル携帯端末を用いたカラオケ選曲システムでは、予めパーソナル携帯端末を用いてモバイルＷＷＷサーバにアクセスし、所定のカラオケ演奏端末に対応する選曲用アプリケーションソフトをダウンロードし、この選曲用アプリケーションソフトを当該パーソナル携帯端末にインストールすることにより、パーソナル携帯端末を用いて選曲予約操作を行うことができるようになる。
【００１７】
そして、パーソナル携帯端末を用いて選曲予約を行う際に、演奏端末識別情報表示手段の機能により、利用者が利用するカラオケ演奏端末の演奏端末識別情報を表示装置の表示画面に表示し、演奏端末識別情報取得手段の機能により、表示された演奏端末識別情報を取得してメモリに記憶する。これにより、選曲予約操作を行うパーソナル携帯端末とカラオケ演奏端末とを関連付けることができる。また、パーソナル携帯端末の現在位置情報を取得するために、ＧＰＳシステム等からなる携帯端末位置情報取得手段の機能により、当該パーソナル携帯端末の現在位置情報を取得する。
【００１８】
選曲が行われると、選曲予約情報送信手段の機能により、パーソナル携帯端末のメモリに記憶された演奏端末識別情報と、当該パーソナル携帯端末の選曲機能により選曲された楽曲の楽曲ＩＤと、取得した現在位置情報とからなる選曲予約情報を、当該パーソナル携帯端末の通信網（携帯電話網及びインターネット）を介して中継サーバへ送信する。
【００１９】
そして、選曲予約許可手段の機能により、パーソナル携帯端末の現在位置が、当該パーソナル携帯端末を用いた選曲予約を許可する位置範囲内にあるか否かを判別する。すなわち、カラオケ店等に設置されたカラオケ演奏端末は、予めその位置が判っているので、当該カラオケ演奏端末の位置から所定距離の範囲を、当該カラオケ演奏端末における選曲予約を許可する範囲内として設定したペアリング許可判定データベースを構築する。そして、ペアリング許可判定データベースを参照して、パーソナル携帯端末の現在位置が、当該選曲予約の許可範囲内であれば、当該カラオケ演奏端末における選曲予約を許可する一方、当該選曲予約の許可範囲外であれば、当該カラオケ演奏端末における選曲予約を許可しない。
【００２０】
中継サーバでは、選曲予約情報転送手段の機能により、少なくとも、選曲予約が許可された選曲予約情報に含まれる楽曲ＩＤを、当該選曲予約情報に含まれる演奏端末識別情報を有するカラオケ演奏端末に転送する。選曲予約情報を受信したカラオケ演奏端末では、予約管理手段の機能により、予約待ち行列を作成して、受信した楽曲ＩＤからなる選曲予約情報を管理する。なお、選曲予約情報に選曲者情報（利用者ＩＤ）等が含まれている場合には、予約待ち行列に選曲者情報（利用者ＩＤ）等を含めて管理することができる。
【発明の効果】
【００２１】
本発明のパーソナル携帯端末を用いたカラオケ選曲システムによれば、パーソナル携帯端末を選曲予約用リモコン装置として利用することができるばかりでなく、利用者が選曲予約を行うカラオケ演奏端末の設置場所から所定距離以上離れて、パーソナル携帯端末を用いた選曲予約を行おうとした場合には、当該選曲予約を許可しない。
【００２２】
例えば、カラオケ店内においてのみパーソナル携帯端末を用いた選曲予約を許可するようにエリア設定が行われている場合に、一端、パーソナル携帯端末とカラオケ演奏端末とのペアリングが行われたとしても、当該カラオケ店外では、選曲予約を許可するエリアを外れるため、パーソナル携帯端末による選曲予約を行うことができないので、悪戯等による選曲予約を排除して、正規の選曲予約操作が混乱することを防止することが可能となる。
【図面の簡単な説明】
【００２３】
【図１】本発明の実施形態に係るカラオケ選曲システムの機能説明図。
【図２】本発明の実施形態に係るカラオケ選曲システムの構成を示すブロック図。
【図３】本発明の実施形態に係るカラオケ選曲システムを構成する中継サーバの構成を示すブロック図。
【図４】ペアリング許可判定データベースの構成を示す説明図。
【発明を実施するための形態】
【００２４】
以下、図面を参照して、本発明のパーソナル携帯端末を用いたカラオケ選曲システム（以下、カラオケ選曲システムと略記する）の実施形態について説明する。図１〜図４は本発明の実施形態に係るカラオケ選曲システムを示すもので、図１はカラオケ選曲システムの機能説明図、図２はカラオケ選曲システムのブロック図、図３は中継サーバのブロック図、図４はペアリング許可判定データベースの説明図である。
【００２５】
＜カラオケ選曲システムの概要＞
本発明の実施形態に係るカラオケ選曲システムは、利用者が所有するパーソナル携帯端末を用いて、カラオケ演奏端末における選曲を行うことが可能なシステムにおいて、選曲予約を行おうとするカラオケ演奏端末の設置位置から、パーソナル携帯端末が所定範囲内にある場合のみに選曲予約を許可し、所定範囲を外れた場合には選曲予約を許可しないようにしたシステムである。
【００２６】
すなわち、本発明の実施形態に係るカラオケ選曲システムは、パーソナル携帯端末に付帯されたＧＰＳ装置等により当該パーソナル携帯端末の現在位置情報を取得し、選曲予約許可手段の機能によりカラオケ演奏端末の設置位置から所定範囲内にあるパーソナル携帯端末についてのみ、当該カラオケ演奏端末における選曲予約を許可するようになっている。
【００２７】
以下の説明において、プログラムとは、ＲＡＭ等に記憶され、ＣＰＵ等のハードウェアで実行されることにより、その機能を発揮するソフトウエアだけではなく、同等の機能を発揮することが可能な論理回路も含む概念である。
【００２８】
本実施形態のカラオケ選曲システム１０は、図１及び図２に示すように、演奏端末識別情報表示手段６８と、演奏端末識別情報取得手段５１と、携帯端末位置情報取得手段５３と、選曲予約情報送信手段５２と、ペアリング許可判定データベース２３と、選曲予約許可手段２１と、選曲予約情報転送手段２２と、予約管理手段６７とを備えている。本実施形態では、演奏端末識別情報表示手段６８、予約管理手段６７は、カラケ演奏端末３０（カラオケ本体３１）の構成要素となっており、演奏端末識別情報取得手段５１、選曲予約情報送信手段５２、携帯端末位置情報取得手段５３は、パーソナル携帯端末５０の構成要素となっており、選曲予約許可手段２１、選曲予約情報転送手段２２、ペアリング許可判定データベース２３は、中継サーバ２０の構成要素となっている。なお、各手段の帰属先は上述した例に限られず、各手段の機能を発揮することができれば、どのような装置の構成要素としてもよい。各手段の機能については、後に詳述する。
【００２９】
＜カラオケ選曲システム＞
本発明の実施形態に係るカラオケ選曲システム１０は、図３に示すように、中継サーバ２０とカラオケ演奏端末３０とが通信ネットワーク（本実施形態では、インターネット４０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００３０】
＜中継サーバ＞
中継サーバ２０は、図３に示すように、選曲予約許可手段２１、選曲予約情報転送手段２２、ペアリング許可判定データベース２３を備えている。なお、図示しないが、中継サーバ２０は、上述した手段の他に、複数のカラオケ演奏端末３０との間でデータの送受信を行うと共に、データを所定の記憶装置に記憶するための基本的なサーバ機能を備えている。また、中継サーバ２０を独立したサーバとして構築するのではなく、カラオケ楽曲の配信を行うホストサーバに中継サーバ２０としての機能を持たせてもよい。また、カラオケ演奏端末３０とパーソナル携帯端末５０とのペアリング許可判断を中継サーバ２０で行うのではなく、ペアリング管理サーバ等の独立した他のサーバに行わせてもよいし、カラオケ店に設置された管理サーバにおいてペアリング許可判断を行ってもよい。
【００３１】
＜選曲予約許可手段＞
選曲予約許可手段２１は、任意のパーソナル携帯端末５０から選曲予約情報を受信した場合に、ペアリング許可判定データベース２３を参照し、当該選曲予約情報に含まれる現在位置情報が、当該選曲予約情報に含まれる演奏端末識別情報５４ａに関連付けられたエリア内に存在すれば、当該受信した選曲予約情報に基づく選曲予約を許可し、当該エリア内に存在しなければ、当該受信した選曲予約情報に基づく選曲予約を許可しないためのプログラムからなる。
【００３２】
すなわち、本実施形態のカラオケ選曲システム１０は、演奏端末識別情報５４ａと、所定の距離範囲を表すエリアとを関連付けたペアリング許可判定データベース２３を備えている。そして、選曲予約許可手段２１の機能により、任意のパーソナル携帯端末５０で取得した現在位置情報（携帯端末位置情報５４ｃ）と、当該パーソナル携帯端末５０のメモリ５４に記憶された演奏端末識別情報５４ａとから、当該パーソナル携帯端末５０が、選曲予約が許可された所定の距離範囲（許可エリア）に存在するか否かを判断する。
【００３３】
この判断結果に基づいて、当該パーソナル携帯端末５０が選曲予約を許可する所定の距離範囲に存在する場合には、当該パーソナル携帯端末５０を用いた当該カラオケ演奏端末３０における選曲予約を許可し、所定の距離範囲外である場合には、当該パーソナル携帯端末５０を用いた当該カラオケ演奏端末３０における選曲予約を許可しない。
【００３４】
＜ペアリング許可判定データベース＞
ペアリング許可判定データベース２３は、図４に示すように、カラオケ演奏端末３０毎に、その演奏端末識別情報（演奏端末識別ＩＤ）と、当該カラオケ演奏端末３０の設置場所の位置情報と、選曲予約を許可する所定の距離範囲（許可エリア）とを紐付けして構成したデータベースである。なお、ペアリング許可判定データベース２３を構成するデータは、図４に示すものに限られず、必要なデータのみの構成としてもよいし、他のデータを含んでいてもよい。
【００３５】
＜選曲予約情報転送手段＞
選曲予約情報転送手段２２は、少なくとも、選曲予約が許可された選曲予約情報に含まれる楽曲ＩＤを、当該選曲予約情報に含まれる演奏端末識別情報５４ａを有するカラオケ演奏端末３０に転送するためのプログラムからなる。なお、転送する情報には、選曲予約を行った利用者を識別するための利用者識別情報を含ませることができる。この、利用者識別情報は、パーソナル携帯端末５０の携帯端末識別情報５４ｄ（例えば、ＵＤＩＤ）、利用者ＩＤ等、利用者を識別することが可能な情報である。また、演奏端末識別情報は、例えば、カラオケ演奏端末３０を一意に識別することが可能な、ＩＰアドレス、デバイスＩＤ、ＭＡＣアドレスや、これらを組み合わせた情報からなる。
【００３６】
＜カラオケ演奏端末＞
カラオケ演奏端末３０は、図２に示すように、カラオケ本体３１、スピーカ３２、マイクロホン３３、表示装置３４、ミキシングアンプ３５を備えている。なお、本実施形態に係るカラオケ演奏端末３０は、パーソナル携帯端末５０を選曲予約用のリモコン装置として利用するが、パーソナル携帯端末５０を用いない利用者のために、専用のカラオケリモコン装置３６を備えていることが好ましい。また、本実施形態では、カラオケリモコン装置３６に付帯する入出力表示装置（図示せず）は、演奏端末識別情報等を表示するための表示装置３４として機能させてもよい。
【００３７】
＜カラオケ本体＞
カラオケ本体３１は、図２に示すように、ネットワーク送受信手段６１、中央制御手段６２、ＲＯＭ６３、ＲＡＭ６４、ＨＤＤ６５、ローカル送受信手段６６、予約管理手段６７、演奏端末識別情報表示手段６８、音楽再生制御手段６９、映像再生制御手段７０を備えている。
【００３８】
＜中央制御手段＞
中央制御手段６２は、カラオケ本体３１を総合的に制御するための手段であり、例えばＣＰＵ及びその周辺機器により構成されており、ＣＰＵ等がＲＯＭ６３等に記憶されたプログラムに従って動作することにより、制御機能を発揮することができるようになっている。
【００３９】
＜ＲＯＭ／ＲＡＭ＞
ＲＯＭ６３は、カラオケ本体３１を構成する各機器を制御するためのプログラムデータや数値データを記憶するための機器で、例えば半導体メモリ等で構成される。また、ＲＡＭ６４は、プログラムや各種データを一時的に記憶する一時記憶領域として機能するもので、例えば半導体メモリ等で構成される。本実施形態では、ＲＡＭ６４に、予約待ち行列６４ａが記憶されるようになっている。予約待ち行列６４ａは、選曲予約されたカラオケ楽曲について、演奏順に楽曲ＩＤを並べて構成したデータテーブルである。なお、予約待ち行列６４ａは、楽曲ＩＤの他に、楽曲名、選曲者（利用者）等のデータを含んでいてもよい。
【００４０】
＜ＨＤＤ＞
ＨＤＤ６５は、大容量記憶装置として機能するもので、楽曲データベース６５ａ及び映像データベース６５ｂが格納されている。なお、ＨＤＤ６５に替えて、あるいはＨＤＤ６５と共に、データを書き替え可能なＤＶＤ等の大容量記憶装置を用いてもよい。
【００４１】
＜楽曲データベース／映像データベース＞
楽曲データベース６５ａは、演奏制御データ（ＭＩＤＩ規格のデータ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース６５ｂは、演奏されるカラオケ楽曲に対応した背景映像を、当該カラオケ楽曲の楽曲ＩＤに対応させた映像ファイルとして所定数格納したデータである。
【００４２】
＜送受信手段＞
ローカル送受信手段６６は、カラオケ本体３１とカラオケリモコン装置３６との間で、データの送受信を行うための電子回路及びプログラムからなる。本実施形態では、赤外線通信により、カラオケ本体３１とカラオケリモコン装置３６との間でデータの送受信が行われる。ネットワーク送受信手段６１は、カラオケ本体３１と中継サーバ２０との間で、データの送受信を行うための電子回路及びプログラムからなる。
【００４３】
＜予約管理手段＞
予約管理手段６７は、中継サーバ２０から受信した楽曲ＩＤからなる選曲予約情報を予約待ち行列６４ａにて管理するためのプログラムからなる。上述したように、選曲予約情報に利用者ＩＤ等が含まれている場合には、予約管理手段６７では、楽曲ＩＤと利用者ＩＤとを紐付けして予約待ち行列６４ａにて管理する。
【００４４】
＜音楽再生制御手段＞
音楽再生制御手段６９は、楽曲ＩＤに基づいて楽曲データベース６５ａから抽出された演奏制御データに基づいて、音源データをデジタル再生すると共にアナログ変換してミキシングアンプ３５に出力するための電子回路である。上述したように、ミキシングアンプ３５は、マイクロホン３３から入力された歌唱者の歌唱音声信号と、音楽再生制御手段６９から送出される演奏音声信号とをミキシングすると共に、アンプ機能により増幅してスピーカ３２より出力させるための装置である。
【００４５】
＜映像再生制御手段＞
映像再生制御手段７０は、カラオケ楽曲の演奏中に、映像データベース６５ｂから抽出した背景映像データと、楽曲データベース６５ａに含まれる歌詞描出データ（テロップデータ）とを、当該カラオケ楽曲の演奏データに同期させて表示装置３４に出力するためのプログラムからなる。
【００４６】
＜演奏端末識別情報表示手段＞
演奏端末識別情報表示手段６８は、カラオケ演奏端末３０を識別するための演奏端末識別情報を、表示装置３４の表示画面に表示するためのプログラムからなる。すなわち、演奏端末識別情報表示手段６８は、カラオケ演奏端末３０を識別するための演奏端末識別情報を２次元バーコード化して、表示装置３４の表示画面に表示させる。なお、演奏端末識別情報を表示させる表示装置３４は、カラオケ楽曲に関連した背景映像や歌詞テロップ等を表示するための表示装置３４であってもよいし、カラオケリモコン装置３６に付帯した入出力表示装置（図示せず）であってもよい。また、表示装置３４の表示画面に演奏端末識別情報を表示する際に所定のアルゴリズムで暗号化し、所定桁数の数字として表示してもよい。
【００４７】
＜マイクロホン＞
マイクロホン３３は、歌唱音声の入力を行うための装置である。マイクロホン３３から入力された歌唱音声信号はミキシングアンプ３５に入力され、音楽再生制御手段６９から送出される演奏音声信号とミキシングされると共に増幅されてスピーカ３２へ出力される。
【００４８】
＜表示装置＞
表示装置３４は、カラオケ楽曲に関連した背景映像や歌詞テロップ等を表示するための装置で、例えば、液晶ディスプレイ等により構成される。
【００４９】
＜パーソナル携帯端末＞
パーソナル携帯端末５０は、データ通信機能を用いて、モバイルＷＷＷサーバ９０に格納された選曲用アプリケーションソフト９１をダウンロードし、この選曲用アプリケーションソフト９１をインストールすることにより、選曲予約機能を持たせることができる。パーソナル携帯端末５０に選曲用アプリケーションソフト９１をインストールすると、パーソナル携帯端末５０は、楽曲検索手段５５として機能するプログラムを備えて選曲を行うことができるようになる。また、パーソナル携帯端末５０は、演奏端末識別情報取得手段５１として機能するプログラム、選曲予約情報送信手段５２として機能するプログラム、携帯端末位置情報取得手段５３として機能するＧＰＳ装置、メモリ５４を備えている。メモリ５４には、演奏端末識別情報５４ａ、選曲した楽曲の楽曲ＩＤ５４ｂ、携帯端末位置情報５４ｃ、携帯端末識別情報５４ｄが記憶される。
【００５０】
パーソナル携帯端末５０と携帯電話網８０を介して接続されるモバイルＷＷＷサーバ９０には、選曲用アプリケーションソフト９１及び選曲用楽曲索引データベース９２が格納されており、パーソナル携帯端末５０が備える楽曲検索手段５５の機能により、選曲用楽曲索引データベース９２を参照して楽曲を検索することができる。なお、選曲用楽曲索引データベース９２をモバイルＷＷＷサーバ９０に格納するのではなく、パーソナル携帯端末５０にダウンロードして、ローカルで楽曲検索を行ってもよい。
【００５１】
＜楽曲検索手段／選曲用楽曲索引データベース＞
楽曲検索手段５５は、利用者の指示に基づき、選曲用楽曲索引データベース９２を参照して楽曲を検索するためのプログラムからなる。選曲用楽曲索引データベース９２は、カラオケ演奏端末３０で演奏に供されるカラオケ楽曲について、その属性情報を記述したデータベースであり、例えば、楽曲ＩＤ・曲名・歌手名・歌い出し部分の歌詞・流行時期・音楽ジャンル区分・デュエット曲か否かなど、種々の属性情報がこれに含まれている。
【００５２】
＜演奏端末識別情報取得手段＞
演奏端末識別情報取得手段５１は、表示装置３４の表示画面に表示された演奏端末識別情報５４ａを取得して、メモリ５４に記憶するためのプログラムからなる。上述したように、表示装置３４の表示画面には、２次元バーコード化された演奏端末識別情報５４ａが表示されるので、演奏端末識別情報取得手段５１は、パーソナル携帯端末５０に付帯したバーコード読取装置（図示せず）を用いて演奏端末識別情報５４ａを取得することができる。なお、演奏端末識別情報５４ａが所定桁数の数字からなる場合には、表示装置３４の表示画面を目視した利用者が、パーソナル携帯端末５０に付帯したテンキー等を用いて、当該数字を入力することにより、演奏端末識別情報５４ａを取得してもよい。
【００５３】
＜携帯端末位置情報取得手段＞
携帯端末位置情報取得手段５３は、パーソナル携帯端末５０の現在位置情報を取得するための電子機器及びプログラムからなり、本実施形態では、パーソナル携帯端末５０が標準的に備えているＧＰＳ装置を利用して、パーソナル携帯端末５０の現在位置情報（携帯端末位置情報５４ｃ）を取得する。取得した携帯端末位置情報５４ｃは、メモリ５４に記憶されて選曲予約許可手段２１に送信され、選曲予約許可手段２１による選局予約許可の判断対象データとなる。
【００５４】
なお、携帯端末位置情報取得手段５３による現在位置情報（携帯端末位置情報５４ｃ）の取得は、予め設定された所定のタイミングで行われる。本実施形態では、選曲予約時に携帯端末位置情報取得手段５３により現在位置情報（携帯端末位置情報５４ｃ）を取得するようになっている。したがって、選局予約を行う毎に、現在位置情報（携帯端末位置情報５４ｃ）が更新されることになる。
【００５５】
＜選曲予約情報送信手段＞
選曲予約情報送信手段５２は、メモリ５４に記憶された演奏端末識別情報５４ａと、当該パーソナル携帯端末５０の選曲機能により選曲された楽曲の楽曲ＩＤ５４ｂと、携帯端末位置情報取得手段５３で取得した当該パーソナル携帯端末５０の現在位置情報（携帯端末位置情報５４ｃ）とからなる選曲予約情報を、当該パーソナル携帯端末５０の通信網（携帯電話網８０及びインターネット４０）を介して中継サーバ２０へ送信するためのプログラムからなる。すなわち、選曲予約情報送信手段５２は、楽曲検索手段５５の機能により楽曲検索が行われ、予約すべき楽曲が選曲されると、メモリ５４に記憶された演奏端末識別情報５４ａと、選曲された楽曲の楽曲ＩＤ５４ｂと、携帯端末位置情報５４ｃとからなる選曲予約情報を、携帯電話網８０及びインターネット４０を介して中継サーバ２０へ送信する。
【００５６】
＜選曲予約＞
次に、図１を参照して、本実施形態のカラオケ選曲システム１０における選曲予約について説明する。本実施形態のカラオケ選曲システム１０では、図１に示すように、パーソナル携帯端末５０において、演奏端末識別情報取得手段５１の機能により、選曲予約を行うカラオケ演奏端末３０の演奏端末識別情報５４ａを取得してメモリ５４に記憶させると共に、携帯端末位置情報取得手段５３の機能により、パーソナル携帯端末５０の現在位置情報である携帯端末位置情報５４ｃを取得してメモリ５４に記憶させる。そして、選曲予約情報送信手段５２の機能により、メモリ５４に記憶された演奏端末識別情報５４ａと、選曲された楽曲の楽曲ＩＤ５４ｂと、携帯端末位置情報５４ｃとからなる選曲予約情報を、携帯電話網８０及びインターネット４０を介して、中継サーバ２０に送信する。
【００５７】
中継サーバ２０では、選曲予約許可手段２１の機能により、ペアリング許可判定データベース２３を参照し、選曲予約情報に含まれる演奏端末識別情報５４ａと携帯端末位置情報５４ｃとの関係に基づいて、当該パーソナル携帯端末５０が選曲予約を許可する所定の距離範囲に存在するか否かを判断する。そして、当該パーソナル携帯端末５０が選曲予約を許可する所定の距離範囲に存在する場合には、当該パーソナル携帯端末５０を用いた当該カラオケ演奏端末３０における選曲予約を許可し、所定の距離範囲外である場合には、当該パーソナル携帯端末５０を用いた当該カラオケ演奏端末３０における選曲予約を許可しない。
【００５８】
そして、選曲予約情報転送手段２２の機能により、選曲予約が許可されたパーソナル携帯端末５０から受信した選曲予約情報に含まれる楽曲ＩＤを、当該選曲予約情報に含まれる演奏端末識別情報を有するカラオケ演奏端末３０に転送する。
【００５９】
選曲予約情報を受信したカラオケ演奏端末３０では、予約管理手段６７の機能により、予約待ち行列６４ａを作成して、受信した楽曲ＩＤを含む選曲予約情報を管理する。
【００６０】
＜他の実施形態＞
本発明のパーソナル携帯端末５０を用いたカラオケ選曲システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６１】
１０  カラオケ選曲システム
２０  中継サーバ
２１  選曲予約許可手段
２２  選曲予約情報転送手段
２３  ペアリング許可判定データベース
３０  カラオケ演奏端末
３１  カラオケ本体
３２  スピーカ
３３  マイクロホン
３４  表示装置
３５  ミキシングアンプ
３６  カラオケリモコン装置
４０  インターネット
５０  パーソナル携帯端末
５１  演奏端末識別情報取得手段
５２  選曲予約情報送信手段
５３  携帯端末位置情報取得手段
５４  メモリ
５４ａ  演奏端末識別情報
５４ｂ  楽曲ＩＤ
５４ｃ  携帯端末位置情報
５４ｄ  携帯端末識別情報
５５  楽曲検索手段
６１  ネットワーク送受信手段
６２  中央制御手段
６３  ＲＯＭ
６４  ＲＡＭ
６４ａ  予約待ち行列
６５  ＨＤＤ
６５ａ  楽曲データベース
６５ｂ  映像データベース
６６  ローカル送受信手段
６７  予約管理手段
６８  演奏端末識別情報表示手段
６９  音楽再生制御手段
７０  映像再生制御手段
８０  携帯電話網
９０  モバイルＷＷＷサーバ
９１  選曲用アプリケーションソフト
９２  選曲用楽曲索引データベース
【図１】
0005694898.tif 000002
【図２】
0005694898.tif 000003
【図３】
0005694898.tif 000004
【図４】
0005694898.tif 000005